(57)【要約】      （修正有）【課題】工具収納のためのホルダー部と、ホルダー部をベルトから吊り下げるベルト通し部とを備えた工具携帯具において、身体に装着したベルトを外さずに工具携帯具のみを取り外すことを可能とし、分離操作性に優れ、且つ不測の離脱が生じないようにする。【解決手段】基端をホルダー部１と連結し先方を折返してベルト通し部２を形成する第一帯状体２１と、基端を第一帯状体の折返し内面における基端側に連結した第二帯状体２２とを備え、第一帯状体の先方箇所に第二帯状体の挿通用の透孔を設け、第二帯状体を透孔に挿通して第一帯状体の折返し外面に突出させ、第二帯状体の突出部分を第一帯状体に着脱連結する着脱連結部（面ファスナー２４ａ）を設ける。【選択図】図２
0003219383.tif 000002
【実用新案登録請求の範囲】
【請求項１】
工具収納のためのホルダー部と、ホルダー部をベルトから吊り下げるベルト通し部とを備えた工具携帯具であって、基端をホルダー部と連結し先方を折返してベルト通し形状に形成する第一帯状体と、基端を第一帯状体の折返し内面における基端側に連結した第二帯状体とを備え、第一帯状体の先方箇所に第二帯状体の挿通用の透孔を設け、第二帯状体を当該透孔に挿通して第二帯状体を第一帯状体の折返し外面に突出させ、前記第二帯状体の突出部分と第一帯状体との着脱連結部を設けてなる工具携帯具。
【請求項２】
着脱連結部を面ファスナーとしてなる請求項１記載の工具携帯具。
【請求項３】
第一帯状体の先端を基端部分と連結する副連結部を設けてなる請求項１又は２記載の工具携帯具。
【請求項４】
副連結部をボタン連結としてなる請求項３記載の工具携帯具。
【請求項５】
第一帯状体の基端とホルダー部上端を蝶番連結してなる請求項１乃至４記載の何れかの工具携帯具。
【考案の詳細な説明】
【技術分野】
【０００１】
本考案は、工具を携帯するためにベルトに装着して使用する工具携帯具に関するものである。
【背景技術】
【０００２】
ベルト装着の工具携帯具は、工具を収納するホルダー部とベルトに装着するためのベルト通し部で構成されており、特に従前よりベルト通し部についてはベルトを身体に装着したままで工具携帯具を着脱できるようにする構造が提案されている。
【０００３】
特許文献１には、ベルト通し部の一部を分離し、分離箇所にボタンや面ファスナーなどを設けて着脱自在とした構造の工具携帯具が開示されている。
【０００４】
また特許文献２には、ホルダー部の上方を延長した吊下げ部に折返用リングを設け、ホルダー部の背面下方に一端を連結（縫着）した係止帯を、前記折返用リングを通し、折返し部分を係止帯に面ファスナーで止着する構造が開示されている。
【０００５】
また特許文献３には、ホルダー部の上方に帯状体を延設し、ホルダー部の背面下方に二個のリングからなる緊締部を設け、帯状体を前記緊締部に挿通して係止すると共に、帯状体にも面ファスナーを設けて緊締部で折り返した部分を帯状体に止着してなる構造が開示されている。
【先行技術文献】
【特許文献】
【０００６】
【特許文献１】特開平１０−７６４８３号公報。
【特許文献２】登録実用新案３１７９１２４号公報。
【特許文献３】登録実用新案３１８９５７９号公報。
【考案の概要】
【考案が解決しようとする課題】
【０００７】
特許文献１，２で示されている工具携帯具のように、連結個所の連結でベルト通し部を形成するものにあっては、連結個所が解除するだけで当該工具携帯具がベルトから外れてしまう虞がある。特に高所作業中における工具を収納したままでの工具携帯具の落下は非常に危険である。
【０００８】
また特許文献３に示されている工具携帯具は、帯状体を一旦リングからなる緊締部で連結し、更に面ファスナーの止着の二段階構成となっているため、面ファスナーの止着が解けたとしても直ぐにベルトから分離するものでは無いが、作業者の工具携帯具取外し操作は、帯状体自体の二段階操作（面ファスナーの止着解除を行った後、リング個所から分離）となり、非常に煩瑣である。
【０００９】
そこで本考案は、連結箇所の連結解除によっても直ちにベルトから分離することなく、且つ着脱容易なベルト通し部を備えた工具携帯具を提案したものである。
【課題を解決するための手段】
【００１０】
本考案の請求項１記載に係る工具携帯具は、工具収納のためのホルダー部と、ホルダー部をベルトから吊り下げるベルト通し部とを備えた工具携帯具であって、基端をホルダー部と連結し先方を折返してベルト通し形状に形成する第一帯状体と、基端を第一帯状体の折返し内面における基端側に連結した第二帯状体とを備え、第一帯状体の先方箇所に第二帯状体の挿通用の透孔を設け、第二帯状体を当該透孔に挿通して第二帯状体を第一帯状体の折返し外面に突出させ、前記第二帯状体の突出部分と第一帯状体との着脱連結部を設けてなることを特徴とするものである。
【００１１】
従って第一帯状体を折返しでベルト通し形状に形成され、同時に第二帯状体が透孔を通して第一帯状体の折返し外方に突出させて、着脱連結部を以て連結することで、ベルト通し部が形成されることになる。特に何らかの外力が加わって着脱連結部の連結が解除されたとしても、第二帯状体が透孔に挿通しているために、ベルト通し部の形状が確保され直ぐにはベルトから分離することなく安全性が確保される。
【００１２】
また本考案の請求項２記載に係る工具携帯具は、特に着脱連結部を面ファスナーとしてなるもので、着脱連結部の連結強度は第二帯状体における第一帯状体の外面との対面する面積で定まり、所望の連結強度を得ることができる。
【００１３】
また本考案の請求項３記載に係る工具携帯具は、第一帯状体の先端を基端部分と連結する副連結部を設けてなり、請求項３記載に係る工具携帯具は前記副連結部をボタン連結としてなるもので、連結構造部分が二重となって、より確実に且つ安全にベルトへの着脱を実現する。
【００１４】
また本考案の請求項５記載の工具携帯具は、第一帯状体の基端とホルダー部上端を蝶番連結してなるもので、ホルダー部とベルト通し部を別形成することで、種々のホルダー部に対してベルト通し部の部品共通化が可能となり、また蝶番連結を採用することで、蝶番と第一帯状体との連結に副連結部のボタンを兼用させることができる。
【考案の効果】
【００１５】
本考案の構成は上記のとおりで、ベルト通し部を形成する連結構造に、折返し構造の第一帯状体の透孔に第二帯状体を挿通して第一、第二帯状体を連結するもので、当該連結個所の着脱でベルトからの分離が可能であると共に、意図せぬ連結個所の分離が生じても、透孔に第二帯状体を挿通しているので、ベルト通し部が形成されたままであるので、連結箇所の不測の分離に対応でき工具携帯時の安全性を高めてなると共に、簡単な分離操作でベルトへの着脱を可能としたものである。
【図面の簡単な説明】
【００１６】
【図１】本考案の実施形態の全体図（非連結状態）で、（イ）は表面（ロ）は背面を示す。
【図２】同図（副連結部箇所を連結）。
【考案を実施するための形態】
【００１７】
次に本考案の実施形態について説明する。実施形態に示した工具携帯具は、縦筒状のホルダー部１と、ベルト通し部２と、蝶番３で構成され、前記の蝶番３はホルダー部１の上端とベルト通し部２の下端をそれぞれ鋲結したものである。
【００１８】
ベルト通し部２は、第一帯状体２１と第二帯状体２２と、副連結部（連結ボタン）２３ａ，２３ｂと、着脱連結部（面ファスナ）２４ａ，２４ｂを備えてなる。
【００１９】
第一帯状体２１は、折り返してベルト通し形状とするもので、折返し端部（基端と先端）の対向面に連結ボタン２３ａ，２３ｂを設けたもので、特に基端側の連結ボタン２３ａは前記蝶番３の連結部品を兼ねて設けたものである。
【００２０】
また第一帯状体２１の先端側（連結ボタン２３ｂの直下）に横長の透孔２５を形成し、折返し表面側における透孔２５位置から基端方向に適宜長さの面ファスナー２４ａを設けてなる。
【００２１】
第二帯状体２２は、透孔２５を通過可能な幅で、その基端を第一帯状体２１の折返し内面側における連結ボタン２３ａの位置に連結してなり、第一帯状体２１との対向面に面ファスナー２４ｂを設けたものである。
【００２２】
而して上記の工具携帯具は、第一帯状体２１及び第二帯状体２２を、それぞれ連結ボタン（副連結部）２３ａ，２３ｂ及び面ファスナー（着脱連結部）２４ａ，２４ｂを連結してベルト通しを形成することで使用状態とするものである。
【００２３】
前記の連結手順は、第一帯状体２１を折返すと同時に第二帯状体２２を透孔２５に通して、連結ボタン（副連結部）２３ａ，２３ｂを連結する。この副連結部の連結によって第一帯状体２１がベルト通し形状となる。
【００２４】
次に透孔２５を通過させた第二帯状体２２を面ファスナー（着脱連結部）２４ａ，２４ｂを連結して第一帯状体２１と一体化するものである（図２参照）。
【００２５】
従ってベルト通し部２の形成は、連結ボタン（副連結部）２３ａ，２３ｂ及び面ファスナー（着脱連結部）２４ａ，２４ｂの二カ所の連結で形成されることになり、何らかの外力が加わって連結個所の一方が分離しても他方の連結によってベルト通し部２が維持されて安全性が確保されるものである。また両方の連結が分離したとしても第二帯状体２２が透孔２５を通しているので、ベルトから不意に分離するようなことが無い。
【００２６】
また身体に装着したベルトから本工具携帯具を取外しに際しては、面ファスナー（着脱連結部）２４ａ，２４ｂを分離し、連結ボタン（副連結部）２３ａ，２３ｂも分離して、第一帯状体２１の透孔２５から第二帯状体２２を引き抜くことでベルト通し形状が解消され、工具携帯具をベルトから取り外すことができるものである。
【符号の説明】
【００２７】
１      ホルダー部
２      ベルト通し部
２１    第一帯状体
２２    第二帯状体
２３ａ，２３ｂ    連結ボタン（副連結部）
２４ａ，２４ｂ    面ファスナー（着脱連結部）
２５    透孔
３      蝶番
【図１】
0003219383.tif 000003
【図２】
0003219383.tif 000004